(57)【要約】【課題】  フィルムの回動（角度θ）を精密に検出し、これを確実に矯正できる基準孔形成装置、及びその方法を提供する。【解決手段】  基準孔形成装置１は、２つの開口部２を有するテーブル本体３の表面でフィルム４を受け止める可動テーブル５と、フィルム４に基準孔６を打抜くパンチ７及びダイ８を組合せた打抜手段９と、フィルム４に光線を照射する照射手段１０と、直立した筒体から成る視野画定手段１１と、フィルム４を透過し更に視野画定手段１１を通り抜けた光線を画像信号としてコンピュータへ入力できる画像入力手段１３とを備える。【選択図】  図２
2006334709.tif 000002
【特許請求の範囲】
【請求項１】
整列して並ぶ複数のパターンを有し該複数のパターンの並び方向に隔たる一対の遮光スポットが付されたフィルムを、本体の表面で受け止め、該本体の前記一対の遮光スポットの周辺に対応する位置に開口部が形成された可動テーブルと、
前記フィルムの前記並び方向に隔たる位置を貫通する一対のパンチ、及び該一対のパンチに出没自在に噛み合う一対のダイを、前記可動テーブルの開口部で対向させた打抜手段と、
前記可動テーブルを、前記打抜手段に対して前記本体の表面に沿う方向に移動、又は前記表面に直交する軸周りに回転するよう動作させるテーブル駆動装置と、
前記テーブル駆動装置を制御するコンピュータと、
前記打抜手段に対して位置決めされ、前記フィルムの一対の遮光スポットの周辺を透過した光線の明るさを画素の明暗に置き換えて前記コンピュータへ入力させる一対の画像入力手段と、
前記コンピュータに、前記一対の画像入力手段に前記光線が各々入射する範囲に相当する２つの画素領域を認識させる機能と、前記２つの画素領域のそれぞれの中心と、前記一対の遮光スポットのそれぞれの中心との偏差を演算させる機能と、前記偏差に基づいて、前記可動テーブルに位置決めされたフィルムの並び方向を、前記一対の画素領域のそれぞれの中心を横切る方向に一致させ、且つ、前記一対の遮光スポットの間の中点を、前記画素領域のそれぞれの中心間の中点に合致するように、前記テーブル駆動装置を制御する機能と、を実現させるためのプログラムを記録したコンピュータ読み取り可能な記録媒体と、
を備えることを特徴とする基準孔形成装置。
【請求項２】
前記フィルムを透過できる光線を照射する照射手段を備え、前記画像入力手段と前記照射手段とが、前記フィルムの一対の遮光スポットの周辺に対応する位置を隔て対向することを特徴とする請求項１に記載の基準孔形成装置。
【請求項３】
前記可動テーブルに前記フィルムを負圧により吸着する吸着手段を設けたことを特徴とする請求項１又は２に記載の基準孔形成装置。
【請求項４】
前記パンチが前記ダイに噛み合う行程で、前記パンチに先行して前記フィルムを前記ダイに押付ける当接部材を、前記パンチに弾性体を介して取付けたことを特徴とする請求項１から３の何れかに記載の基準孔形成装置。
【請求項５】
整列して並ぶ複数のパターンを有するフィルムに、前記複数のパターンの並び方向に隔たる２つの基準孔を形成する方法であって、
前記フィルムに、前記並び方向に隔たる一対の遮光スポットを付する工程と、
前記可動テーブルを、前記フィルムの並び方向を含む平面に沿って移動、又は該平面に直交する軸の周りに回転するよう動作できる可動テーブルに、前記フィルムを位置決めする工程と、
前記可動テーブルから離れて設置された画像入力手段が、前記フィルムの一対の遮光スポットの周辺を透過した光線の明るさを、画素の明暗に置き換えた画像情報としてコンピュータへ入力する工程と、
前記フィルムの一対の遮光スポットの周辺にそれぞれ相当する２つの画素領域を、前記コンピュータに認識させる工程と、
前記２つの画素領域のそれぞれの中心と、前記一対の遮光スポットのそれぞれの中心との偏差を、前記コンピュータに演算させる工程と、
前記偏差に基づいて、前記フィルムの並び方向を、前記一対の画素領域のそれぞれの中心を横切る方向に一致させ、且つ、前記一対の遮光スポットの間の中点を、前記画素領域のそれぞれの中心間の中点に合致するように、前記可動テーブルを動作させる工程と、
前記フィルムの前記２つの画素領域のそれぞれの中心を基準とする位置に、前記２つの基準孔を形成する工程と、
を含むことを特徴とする基準孔形成方法。
【発明の詳細な説明】
【技術分野】
【０００１】
本発明は、フィルムの適所にその位置決めに利用できる孔を形成する基準孔形成装置、及びその方法に関する。
【背景技術】
【０００２】
従来より、被加工物であるフィルム等に予め付した遮光スポットの位置に基づき、フィルム等に孔を形成する技術がある。このような孔には、フィルム等を所定箇所に位置決めするためのピン等が挿通される。例えば、下記の特許文献１には、一片のプリント配線板を可動テーブルに対して位置決めすることが開示されている。また、特許文献２には、フィルムに記録された画像の位置に基づき孔を形成することが開示されている。
【特許文献１】特開２００１−３１０２０８号公報
【特許文献２】特開平０９−２１６１９４号公報
【発明の開示】
【発明が解決しようとする課題】
【０００３】
図９（ａ）は、同一のパターン１４が縦横に等ピッチＰを隔てて繰り返し印刷されたフィルム４を表している。ピッチＰは各パターン１４の中心を基準とする。例えば、フィルム４がポリエチレン等の合成樹脂製であると、熱収縮又は膨張が起こり易く、ピッチＰの寸法が微妙に変化する。このような寸法変化は、合成樹脂の種類やフィルム４の製造方法により多様であるが、フィルム４が延伸された製品である場合、その延伸方向の寸法に比較的大きな変化が認められる例が多い。以下では説明の便宜により、図中の３次元座標のＸ軸に沿う方向を延伸方向とし、フィルム４がＸ−Ｙ平面に直交するＺ軸周りに回転することを単に「回動」と称する。
【０００４】
ある製造工程でフィルム４を２枚準備し、これらを互いのパターン１４同士を合致させて貼合わせる場合、或いは、図９（ｂ）に示すように、フィルム４のパターン１４をそれぞれ貼合わせる複数の被着部１４’が定められたパネル４’に、フィルム４を積層する場合がある。これは、１つのパターン１４を１つの被着部１４’に貼合わせて成る単一部品を得る工程で、フィルム４と一体である複数のパターン１４を、フィルム４と共に複数の被着部１４’に同時に貼合わせた後でフィルム４と一緒にパネル４’を仮想線のところで裁断する方が、初めから断片化したフィルム４とパネル４’を個別に取扱うよりも作業が捗るからである。
【０００５】
また、上記の寸法変化により、ピッチＰがＰ±δになるとすれば、長手方向に並ぶｎ個のパターン１４のうち最も離れたパターン１４同士の距離は、δがｎ回累積するためｎＰ±ｎδに達する。そこで、パターン１４の並び数ｎが不用に大きくならないように、上記の製造工程に先行して、長尺なフィルム４を適切な長さに分断する。例えば、許容できる誤差ｎδが０．３０ｍｍ以内であるとした場合に、ピッチＰの変化δが平均０．０７ｍｍとなる見込みならば、ｎ≦４でなければならない。図９（ｂ）はｎ＝４とした例を表している。
【０００６】
しかしながら、並び数ｎを調整するために分断されて長尺な本体から切り離されたフィルム４は、僅かながら回動してしまう可能性がある。このため、フィルム４の回動を看過して不適切な位置に孔が開けられるのを防ぐには、特許文献１，２に記したようなフィルム等に付されたガイドマーク、又はパターン（画像）の位置を基準に、フィルム等に形成する孔のＸ，Ｙ座標を算定するだけでは足らない。
【０００７】
本発明は、上記の実情に鑑みて成されたものであり、その目的とするところは、フィルムの回動を精密に検出し、これを確実に矯正できる基準孔形成装置、及びその方法を提供することにある。
【課題を解決するための手段】
【０００８】
本発明に係る基準孔形成装置は、整列して並ぶ複数のパターンを有し該複数のパターンの並び方向に隔たる一対の遮光スポットが付されたフィルムを、本体の表面で受け止め、該本体の前記一対の遮光スポットの周辺に対応する位置に開口部が形成された可動テーブルと、前記フィルムの前記並び方向に隔たる位置を貫通する一対のパンチ、及び該一対のパンチに出没自在に噛み合う一対のダイを、前記可動テーブルの開口部で対向させた打抜手段と、前記可動テーブルを、前記打抜手段に対して前記本体の表面に沿う方向に移動、又は前記表面に直交する軸周りに回転するよう動作させるテーブル駆動装置と、前記テーブル駆動装置を制御するコンピュータと、前記打抜手段に対して位置決めされ、前記フィルムの一対の遮光スポットの周辺を透過した光線の明るさを画素の明暗に置き換えて前記コンピュータへ入力させる一対の画像入力手段と、前記コンピュータに、前記一対の画像入力手段に前記光線が各々入射する範囲に相当する２つの画素領域を認識させる機能と、前記２つの画素領域のそれぞれの中心と、前記一対の遮光スポットのそれぞれの中心との偏差を演算させる機能と、前記偏差に基づいて、前記可動テーブルに位置決めされたフィルムの並び方向を、前記一対の画素領域のそれぞれの中心を横切る方向に一致させ、且つ、前記一対の遮光スポットの間の中点を、前記画素領域のそれぞれの中心間の中点に合致するように、前記テーブル駆動装置を制御する機能とを、実現させるためのプログラムを記録したコンピュータ読み取り可能な記録媒体と、を備えることを特徴とする。
【０００９】
更に、本発明に係る基準孔形成装置は、前記フィルムを透過できる光線を照射する照射手段を備え、前記画像入力手段と前記照射手段とが、前記フィルムの一対の遮光スポットの周辺に対応する位置を隔て対向することを特徴とする。
【００１０】
更に、本発明に係る基準孔形成装置は、前記可動テーブルに前記フィルムを負圧により吸着する吸着手段を設けたことを特徴とする。
【００１１】
更に、本発明に係る基準孔形成装置は、前記パンチが前記ダイに噛み合う行程で、前記パンチに先行して前記フィルムを前記ダイに押付ける当接部材を、前記パンチに弾性体を介して取付けたことを特徴とする。
【００１２】
また、本発明は、整列して並ぶ複数のパターンを有するフィルムに、前記複数のパターンの並び方向に隔たる２つの基準孔を形成する方法に係るものであって、前記フィルムに、前記並び方向に隔たる一対の遮光スポットを付する工程と、前記可動テーブルを、前記フィルムの並び方向を含む平面に沿って移動、又は該平面に直交する軸の周りに回転するよう動作できる可動テーブルに、前記フィルムを位置決めする工程と、前記可動テーブルから離れて設置された画像入力手段が、前記フィルムの一対の遮光スポットの周辺を透過した光線の明るさを、画素の明暗に置き換えた画像情報としてコンピュータへ入力する工程と、前記フィルムの一対の遮光スポットの周辺にそれぞれ相当する２つの画素領域を、前記コンピュータに認識させる工程と、前記２つの画素領域のそれぞれの中心と、前記一対の遮光スポットのそれぞれの中心との偏差を、前記コンピュータに演算させる工程と、前記偏差に基づいて、前記フィルムの並び方向を、前記一対の画素領域のそれぞれの中心を横切る方向に一致させ、且つ、前記一対の遮光スポットの間の中点を、前記画素領域のそれぞれの中心間の中点に合致するように、前記可動テーブルを動作させる工程と、前記フィルムの前記２つの画素領域のそれぞれの中心を基準とする位置に、前記２つの基準孔を形成する工程と、を含むことを特徴とする。
【発明の効果】
【００１３】
本発明によれば、整列して並ぶ複数のパターンを有するフィルムに、複数のパターンの並び方向に隔たる一対の遮光スポットを付すことにより、一対の遮光スポットのそれぞれの中心を基準にして、可動テーブルに位置決めされたフィルムと、同フィルムを貫通する一対のパンチとの相対位置を確認できる。即ち、フィルムの一対の遮光スポットの周辺を透過した光線の明るさを画素の明暗に置き換えた画像情報を、コンピュータへ入力し、このコンピュータに、一対の画像入力手段に光線が各々入射する範囲に相当する２つの画素領域を認識させ、２つの画素領域のそれぞれの中心と、一対の遮光スポットのそれぞれの中心との偏差を演算させることができる。
【００１４】
更に、上記の偏差に基づいてコンピュータがテーブル駆動装置を制御することにより、可動テーブルに位置決めされたフィルムの並び方向を、一対の画素領域のそれぞれの中心を横切る方向に一致させ、且つ、一対の遮光スポットの間の中点を、画素領域のそれぞれの中心間の中点に合致するように、可動テーブルを動作させることができる。
【００１５】
従って、本発明によれば、パターンの並び数を調整するために分断したフィルムが不用意に回動することがあれば、これを精密に検出し矯正することができる。しかも、このようなフィルムの姿勢を矯正することに加え、フィルムと一対のパンチとの相対位置の調整もできるので、フィルムの適切な位置に孔を確実に形成することができる。
【００１６】
更に、画像入力手段と照射手段とを、フィルムの一対の遮光スポットの周辺に対応する位置を隔て対向するので、フィルムを透過する光線の光源を自然光又は建物に既設された電灯等に依存する場合に比較して、一対の画像入力手段に明るさの安定した光線を入射できるという利点が得られる。
【００１７】
更に、可動テーブルにフィルムを負圧により吸着する吸着手段を備えた場合、フィルムの材質又は質量に関わり無く、フィルムが可動テーブルに対して滑る等の不具合を防止することができる。
【００１８】
更に、一対のパンチに弾性体を介して取付けた当接部材が、一対のパンチが一対のダイに噛み合う行程で、一対のパンチに先行してフィルムを一対のダイに押付けるので、一対のパンチがフィルムを貫通するときのせん断力に起因して、フィルムに皺ができる等の不具合を回避することができる。
【発明を実施するための最良の形態】
【００１９】
以下に、本発明の実施形態に係る基準孔形成装置の概要を説明した上で、実施例として基準孔形成装置の構成を詳述する。また、電気回路、駆動源、案内手段、又は空気圧縮機には、それぞれ周知の技術を適用できるので、その図示又は説明は省略する。例えば、駆動源としてサーボモータ、サーボシリンダ、又はエアシリンダを適用できる。案内手段としては、スライドレールに滑子を滑動自在に係合させて成る滑り対遇を適用できる。
【００２０】
先ず、基準孔形成装置１の概略を述べる。基準孔形成装置１は、図１，図２に示すように、２つの開口部２を有するテーブル本体３の表面でフィルム４を受け止める可動テーブル５と、フィルム４に基準孔６を打抜くパンチ７及びダイ８を組合せた打抜手段９と、フィルム４を透過できる光線を照射する照射手段１０と、図中で直立した筒体から成る視野画定手段１１と、フィルム４を透過し更に視野画定手段１１を通り抜けた光線を画像信号としてコンピュータ１２へ入力できる画像入力手段１３とを備える。この他の構成は後の実施例で述べる。
【００２１】
フィルム４は、図３（ａ）に示すように、整列した複数のパターン１４を有し、複数のパターン１４の整列する並び方向に隔たる位置に、一対の遮光スポット１５が付されている。パターン１４とは、フィルム４に予め定められた区画に、例えば印刷、コーティング、その他の機械的又は化学的処理を施すことにより形成される導電層、絶縁膜、模様、又は図柄等を広く意味する。遮光スポット１５は、それぞれ視野画定手段１１の内径より小さな円形である。図示の通り、一対の遮光スポット１５のそれぞれの中心が互いに並び方向に距離Ｘｄを隔たることは必須であるが、一対の遮光スポット１５をフィルム４に配置する位置、又は距離Ｘｄの具体的数値については、何ら限定されることはない。
【００２２】
また、一対の遮光スポット１５をフィルム４に付すには、フィルム４にパターン１４を印刷する工程で同時に遮光性のインク等をフィルム４の適所に印刷しても良く、又は遮光性の粘着テープ等をフィルム４の適所に貼付けても良い。遮光性とは、フィルム４の素地に比較して光を透し難い性質であり、フィルム４の素地が必ずしも無色又は透明である必要はない。
【実施例１】
【００２３】
基準孔形成装置１について、図１から図６を参照しながら詳述する。可動テーブル５は、テーブル駆動装置１６に支持されている。テーブル駆動装置１６は、コンピュータ１２の指令に従ってフィルム４を３次元座標で表したＸ−Ｙ平面に沿って移動、又はＺ軸周りに回転するよう動作させる。この動作は、周知のＸ−Ｙテーブル等の位置や移動量を制御する位置サーボによって実現できる。即ち、図４，図５の符号１７，１８は、それぞれＸ軸方向、Ｙ軸方向へ可動テーブル５を移動させ、又は位置決めするサーボシリンダを指している。更に、符号１９はサーボシリンダ１７，１８と共に可動テーブル５をＺ軸周りに回転させる減速機付きのサーボモータを指している。これらのサーボシリンダ１７，１８及びサーボモータ１９は、コンピュータ１２がサーボドライバを介して制御できる。
【００２４】
可動テーブル５のテーブル本体３は、その表面がフィルム４を安定して受け止められる程度に平坦であれば良いが、テーブル本体３の表面からのフィルム４の浮き上がり、又はテーブル本体３の表面でフィルム４が滑ることのないように、テーブル本体３の表面にフィルム４を吸着するための吸着手段２０を備えることが好ましい。例えば、テーブル本体３を、真空ポンプ等の負圧発生手段２１によって発生される負圧の導入ができる２層構造とし、この負圧によってフィルム４を吸引するための小孔２２をテーブル本体３の表面に多数開放しても良い。
【００２５】
打抜手段９は、図１，図６に示すように、基準孔形成装置１の主フレーム２３の上部に固定されたエアシリンダ２４の作動ロッド２５に、案内手段２５１によりＺ軸に沿う方向に滑動自在に案内されるパンチホルダ２６を取付け、パンチホルダ２６に丸棒状のパンチ７を取付けている。主フレーム２３は、パンチ７に対して円筒状のダイ８を位置決めするダイセットの役割を果たす。符号２７はパンチ７に弾性体２８を介して取付けた当接部材である。弾性体２８は、パンチ７の根元付近に固定したばね座２８１に一端を接合し他端に当接部材２７を取付けたコイルばねである。当接部材２７は、パンチ７が挿通できる挿通孔２７１を有し、弾性体２８を伸縮させながらパンチ７に沿って滑動できる。
【００２６】
エアシリンダ２４は、図に表れていない方向切換弁を介して空気圧縮機に接続されている。コンピュータ１２の出力信号に従うソレノイドによって上記の方向切換弁を操作すれば、空気圧縮機からエアシリンダ２４へ供給される圧縮空気の方向を切換えられる。これにより、エアシリンダ２４の作動ロッド２５は伸縮する。作動ロッド２５が伸長すると、パンチ７がダイ８に嵌入することにより両者が噛み合され、作動ロッド２５が短縮すると、パンチ７がダイ８から後退し図示の位置に復帰する。また、作動ロッド２５が伸長する行程で、パンチ７がフィルム４を貫くことによりフィルム４に基準孔６を形成できる。更にこの工程で、当接部材２７がパンチ７に先行してフィルム４をダイ８に押付けるので、パンチ７がフィルム４を貫通するときのせん断力に起因して、フィルム４に皺ができる等の不具合を回避できる。
【００２７】
図２に表した１体のパンチ７と１体のダイ８は、可動テーブル５の２つの開口部２のうちの一方の開口部２で図中の上下に対向するが、打抜手段９は、図４に示すように、パンチ７とダイ８とをそれぞれ対にして備え、他方の開口部２でも、パンチ７とダイ８が図中の上下に対向する。図４に表れた一対のパンチ７は、それぞれの幾何学的中心線が互いに並び方向に間隔Ｘｄを隔てるように配置されている。
【００２８】
画像入力手段１３は、主フレーム２３の下部に固定されたＣＣＤカメラを主体とし、その光学レンズ２９を経て入射する光線の明るさを画素の明暗に置き換えてコンピュータ１２へ入力できる。光学レンズ２９はフィルム４に焦点が合されている。視野画定手段１１は、遮光スポット１５よりも広い内径を有し、その幾何学的中心線が画像入力手段１３の光学レンズ２９の光軸に一致するように、主フレーム２３に固定されている。このように固定された視野画定手段１１が、個々の開口部２の口縁に当らないように、個々の開口部２の開口寸法は、可動テーブル５が動作する範囲よりも広く設定されている。照射手段１０は、パンチホルダ２６に取付けられた電球、蛍光灯、又はＬＥＤ等の光源である。
【００２９】
基準孔形成装置１は、照射手段１０、視野画定手段１１、及び画像入力手段１３についても、それぞれを対にして備える。一対の画像入力手段１３は、それぞれの光学レンズ２９の光軸が互いに並び方向に間隔Ｘｄを隔てるように配置され、一対の視野画定手段１１は、それぞれの幾何学的中心線が互いに並び方向に間隔Ｘｄを隔てるように配置されている。また、図２，図５に示すように、個々のパンチ７の幾何学的中心線と、個々の画像入力手段１３の光軸とは、互いに並び方向に直交する方向に間隔Ｙｄを隔てるように配置されている。
【００３０】
次に、基準孔形成装置１を使用した基準孔６の形成方法を図１，図７，図８を参照しながら説明する。以下で、特に断らない限り、コンピュータ１２の機能は、コンピュータ１２がアクセスできるＲＯＭ等の記録媒体３０に書き込まれたプログラムに基づいて実現されるものとする。また、文頭に付した英文字は工程を区分する指標である。
【００３１】
Ａ：フィルム４をテーブル本体３の上面に受け止めさせ、一対の遮光スポット１５の周辺が一対の視野画定手段１１に概ね重なるように、フィルム４の位置を調整する。この工程は、オペレータの手作業で行っても良いが、トランスファ等を利用してフィルム４をテーブル本体３の上面に搬入しても良い。
【００３２】
Ｂ：負圧発生手段２１を起動させる。負圧発生手段２１の発生する負圧によってテーブル本体３の表面にフィルム４を吸引する。これにより、フィルム４を可動テーブル５に位置決めできることに加え、テーブル本体３とフィルム４とを密着することができる。
【００３３】
Ｃ：照射手段１０を点灯させる。照射手段１０から照射される光線は、フィルム４の一対の遮光スポット１５の周辺を透過する。更に、視野画定手段１１の内側を通り抜けた光線だけが、画像入力手段１３まで到達し、視野画定手段１１の外側に拡散しようとする光線は、視野画定手段１１によって遮られる。これにより、一対の画像入力手段１３のうちの一方の画像入力手段１３に光線が入射する一の視野と、他方の画像入力手段１３に光線が入射する他の視野とが、それぞれ次のように画定される。
【００３４】
即ち、図７（ａ）は、画像入力手段１３によって画素の明暗に置き換えた画像を、ＣＲＴ等のディスプレーの画面に出力したモニター映像を示している。同図に符号３１，３２でそれぞれ指した２つの画素領域（円の内部）は、上記一の視野、及び他の視野にそれぞれ相当する。
【００３５】
Ｄ：２つの画素領域３１，３２毎に、並び方向に割付けられるＸ座標と、並び方向に直交する方向に割付けられるＹ座標とを、コンピュータ１２が、それぞれ座標値として認識する。
【００３６】
Ｅ：一の視野に相当する画素領域３１の中で、一方の遮光スポット１５にて光線が遮られた遮光領域３３の中心の座標値と、他の視野に相当する画素領域３２の中で、他方の遮光スポット１５にて光線が遮られた遮光領域３４の中心の座標値とを、コンピュータ１２が比較する。これにより、コンピュータ１２は、仮想線αで表したフィルム４の並び方向が、一の視野に相当する画素領域３１と他の視野に相当する画素領域３２とのそれぞれの中心を横切る方向に対して傾斜する角度θを認識できる。
【００３７】
Ｇ：角度θに基づきコンピュータ１２がテーブル駆動装置１６を制御する。テーブル駆動装置１６は、可動テーブル５に位置決めされたフィルム４が角度θを打ち消す方向に回転するように、可動テーブル５を動作させる。これにより、図７（ｂ）に示すように、フィルム４の並び方向を、一対の画素領域のそれぞれの中心を横切る方向に一致させる。言い換えると、θ＝０となるようにフィルム４の姿勢が矯正される。この工程は、上記Ｅの工程で初めからθ＝０ならば省略される。
【００３８】
Ｈ：画素領域３１の中心の座標値と、遮光領域３３の中心の座標値との差を、一の偏差（ΔＸＬ，ΔＹＬ）としてコンピュータ１２が認識する。同時に、画素領域３２の中心の座標値と、遮光領域３４の中心の座標値との差を、他の偏差（ΔＸＲ，ΔＹＲ）としてコンピュータ１２が認識する。
【００３９】
Ｉ：θ＝０になれば、一の偏差のＹ成分の値（ΔＹＬ）と、他の偏差のＹ成分の値（ΔＹＲ）とは、互いに等しくなる。図８（ａ）ではΔＹＬ＝ΔＹＲ＝ΔＹと改めている。この状態で、コンピュータ１２がΔＹの値に基づきテーブル駆動装置１６を制御する。テーブル駆動装置１６は、図８（ｂ）に示すようにΔＹが減少してΔＹ→０となる方向へ可動テーブル５を動作させる。
【００４０】
一方、一の偏差のＸ成分の値（ΔＸＬ）と、他の偏差のＸ成分の値（ΔＸＲ）とに注目する。上記Ｇの工程を終えた時点で、一対の遮光スポット１５の間を２等分する位置（中点）と、画素領域３１，３２のそれぞれの中心間を２等分する位置（中点）とが合致しない場合、図８（ａ）に示すように、ΔＸＬ及びΔＸＲのそれぞれの値は異なる。
【００４１】
Ｊ：コンピュータ１２がΔＸＬ及びΔＸＲに基づきテーブル駆動装置１６を制御する。テーブル駆動装置１６は、図８（ｂ）に示すように、ΔＸＬ＝ΔＸＲとなる方向に可動テーブル５を動作させる。
【００４２】
上記Ｊの工程を終えた時点で、ΔＸＬ，ΔＸＲが尚も０にならないで残るのは、フィルム４の熱収縮又は膨張に起因して、一対の遮光スポット１５のそれぞれの中心が互いに隔たる距離Ｘｄが、Ｘｄ±ｎδに変化したことによるが、一対の遮光スポット１５の間の中点と、画素領域３１，３２のそれぞれの中心間の中点とは確実に一致する。この時点で、ΔＸＬ＝ΔＸＲ＝±ｎδ／２となる。また、個々のパターン１４と、一対の遮光スポット１５のうちの片方の遮光スポット１５との間の寸法の狂いは±ｎδ／２に半減したことになる。
【００４３】
Ｋ：打抜手段９がコンピュータ１２の指令に従い起動し、一対のパンチ７が一対のダイ８に噛み合わされる。これにより、図３（ｂ）に示すように、一対の遮光スポット１５に対して、それぞれ並び方向に直交する方向に距離Ｙｄを隔てる位置に、２つの基準孔６が同時に形成される。
【００４４】
上記Ｇ，Ｉ，Ｊの工程で、可動テーブル５の動作は、コンピュータ１２がサーボドライバを介してテーブル駆動装置１６のサーボシリンダ１７，１８又はサーボモータ１９を制御することを踏まえて説明したが、次のようにしても良い。即ち、オペレータがＣＲＴ等のディスプレーで上記のモニター映像を目視できるならば、サーボシリンダ１７，１８又はサーボモータ１９を起動又は停止させるスイッチを、オペレータが遮光領域３３，３４の中心位置を確認しながら操作し、このようなオペレータのスイッチ操作に従わせて可動テーブル５を動作させても良い。
【００４５】
以上に述べたように、基準孔形成装置１によれば、パターン１４の並び数を調整するために分断したフィルム４が不用意に回動することがあっても、これを精密に検出し矯正することができる。しかも、このようなフィルム４の姿勢を矯正することに加え、フィルム４と一対のパンチ７との相対位置の調整もできるので、フィルム４の適切な位置に基準孔６を確実に形成することができる。
【００４６】
尚、本発明は、その趣旨を逸脱しない範囲で当業者の知識に基づいて種々なる改良、修正、又は変形を加えた態様で実施できる。例えば、フィルム４を透過する光線の光源を自然光又は建物に既設された電灯等に依存できる場合は、照射手段１０を省略しても良い。また、視野画定手段１１を省略し、光学レンズ２９の画角を狭める等して画像入力手段１３の視野を所望に制限しても良い。
【００４７】
また、距離Ｙｄのの具体的数値については何ら限定されることはない。図６に示すように、ダイ８は視野画定手段１１と同様に筒状であるため、図中でダイ８の真下に、画像入力手段１３を配置すれば、ダイ８を画像入力手段として代用できる。この場合、パンチ７は、概ね遮光スポット１５を的にしてフィルム４を貫通することになる。
【産業上の利用可能性】
【００４８】
本発明は、フィルムの用途を問わず、フィルムに基準孔を形成する技術であり、フィルムを構成部材の一つとするあらゆる製品を製造するのに有益である。
【図面の簡単な説明】
【００４９】
【図１】本発明の実施例１に係る基準孔形成装置の構成を示すブロック図。
【図２】本発明の実施例１に係る基準孔形成装置の要部を示す斜視図。
【図３】（ａ）は所望の寸法に裁断されたフィルムの斜視図、（ｂ）は２つの基準孔が形成されたフィルムの斜視図。
【図４】本発明の実施例１に係る基準孔形成装置を一部破断した正面図。
【図５】本発明の実施例１に係る基準孔形成装置を一部破断した側面図。
【図６】本発明の実施例１に係る基準孔形成装置に適用した打抜手段の要部を示す断面図。
【図７】（ａ）から（ｂ）の順で、本発明の実施例１に係る基準孔形成装置に適用したコンピュータによる情報処理の一例を示す概念図。
【図８】（ａ）から（ｂ）の順で、本発明の実施例１に係る基準孔形成装置に適用したコンピュータによる情報処理の他例を示す概念図。
【図９】（ａ）は長尺なフィルムの斜視図、（ｂ）は所望の寸法に裁断されたフィルムをパネルに積層する工程を例示する斜視図。
【符号の説明】
【００５０】
１：基準孔形成装置
２：開口部
３：テーブル本体
４：フィルム
５：可動テーブル
６：基準孔
７：パンチ
８：ダイ
９：打抜手段
１０：照射手段
１１：視野画定手段
１２：コンピュータ
１３：画像入力手段
１４：パターン
１５：遮光スポット
１６：テーブル駆動装置
２０：吸着手段
２７：当接部材
２８：弾性体
３０：記録媒体
３１，３２：画素領域
３３，３４：遮光領域
【図１】
2006334709.tif 000003
【図２】
2006334709.tif 000004
【図３】
2006334709.tif 000005
【図４】
2006334709.tif 000006
【図５】
2006334709.tif 000007
【図６】
2006334709.tif 000008
【図７】
2006334709.tif 000009
【図８】
2006334709.tif 000010
【図９】
2006334709.tif 000011